Podtech/llm-jp-corpus-v4-ja_patent huggingface dataset:
(57)【要約】      （修正有）【課題】レーザーを音波に変換したときに発生するパルス波を用いて強電体を加圧振動させて発電する発電システムを提供する。【解決手段】レアメタルを強電体に用いると強力な電力を得ることができる。加圧振動をパルス波に変えると強電体発電の本体をさらに薄型・軽量・小型化できる。発電システムの構成は、強電体を薄い多層フィルム１に加工して、パルス波の入力端子２ではさみ加圧振動して発生する電力を出力端子３から利用する。【選択図】図１
2013179241.tif 000002
【特許請求の範囲】
１．強電体にパルス波をあてると発電する発電システム
【発明の詳細な説明】
【発明の詳細な説明】
この発明は強電体にレーザーを音波に変換したときに発生するパルス波を用いて強電体を加圧振動させて発電する発電システムに関するものである。  従来武道などで腹部を圧縮すれば食物を摂取して得られる以上のエネルギーを瞬間的に得られることが知られている。これは腸を圧縮すれば腸が強電体となり、加圧されて発電しているにほかならない。また歯を噛み締めると脳が活性化することが知られているが、これも歯が強電体となり、加圧により微弱な電気を発生し脳に流れるからである。そこで強力な強電体を加圧すればより強大な電気を発生することがわかる。磁石にレアメタルを混ぜると強力な磁力を発生することが知られている。そこでレアメタルを強電体に用いると強力な電力を得ることができる。しかし機械を用いて加圧振動する装置を製作してもその小型化には限度がある。そこで加圧振動をパルス波に変えると強電体発電の本体をさらに薄型・軽量・小型化でき、その用途は無限となる。  本発明の構成を図面で説明すると強電体（１）をパルス波の入力端子（２）ではさみ加圧振動して発生する電力を出力端子（３）から利用するものである。  強電体のレアメタルを薄い多層フィルムに加工してパルス波によって加圧振動すれば携帯電話やスマートホンの電源を永久発電機にでき、もはや充電器も電池交換も不要となる。そしてこの原理を用いれば、携帯電話やスマートホンだけでなく、地球上のすべての電気製品を電力不要にすることができる。各家庭も電力会社から電力供給を受けることも不要となり、地上から水力発電・火力発電・原子力発電もなくなり、送電線も一切不要となる。またガソリンを使わず強電体発電で動く自動車や工場の出現によって地球温暖化は阻止され、石油による紛争もなくなり、原発による放射能汚染の心配もない世界を実現できる。いままさに「携帯電話から自動車まで」強電体発電で動く時代が到来したのである。
【図面の簡単な説明】
【図１】第一図は本発明の斜視図
【図２】第二図は本発明の断面図（１）は強電体（２）はパルス波の入力端子（３）は電力の出力端子
【図１】
2013179241.tif 000003
【図２】
2013179241.tif 000004
(57)【要約】      （修正有）【課題】屋外に取り付けられた太陽光追尾用光センサーの表面の汚れ除去装置を提供する。【解決手段】太陽光パネルＣが太陽光追尾する場合光センサーＢも光を受ける最適な位置に回転する装置において、その回転域の左右に固定されたワイパーＡを取り付けた。【選択図】図２
2013179240.tif 000002
【特許請求の範囲】
【請求項１】
半円形等のカバーで覆われた光センサーで、太陽光追尾する場合、それによる回転等の稼働する光センサーの表面の汚れを除去する固定式ワイパー。
【請求項２】
光センサーの可動領域において、左右二箇所に固定された請求項１の固定式ワイパー。
【請求項３】
ゴム、軟質プラスチック、刷毛、布等の素材で作られた請求項１の固定式ワイパー。
【発明の詳細な説明】
【発明の詳細な説明】
【技術分野】
【０００１】  本発明は、太陽光追尾の場合に用いる光センサー表面カバーの汚れ除去に関するものである。
【産業上の利用分野】
【０００２】本発明は、太陽光追尾の場合、光センサーの表面カバーの汚れを自動的に除去するシステムである。屋外に設置された太陽光追尾システムは、空気中の汚れ或いは雨等で汚れる事が予想される。特に光センサー部分は、カバーをしていてもカバーに汚れが付いてしまえば、光を感知できにくくなり、作動しなくなる。その為、汚れを自動的に取り除くことが望ましい。
【背景技術】
【０００３】従来は、定期的にメンテナンスを行うことで、機器の清掃にあたっていた。ただし、これによって費用がかかり、発電システムとしての効率を下げる結果となった。
【発明が解決しようとする課題】
【０００４】本発明は、光センサー表面カバーの汚れを取り除き、システムの作動環境を整えることを課題とした。
【０００５】上記課題を解決する為に、光センサーの回転に着目した。光センサーは、太陽光追尾する場合、モーターを稼働させ、それ自身も光を受ける最適な位置に回転する。それによって、太陽光を受ける限り可動領域で回転をする。可動領域内の始点、及び終点に固定式のワイパーを設置することで、光センサー表面のカバーの汚れは固定されたワイパーによって取り除かれる。
【図面の簡単な説明】
【０００６】
【図１】図１は、光センサーカバー（Ｂ）と左右の固定式ワイパー（Ａ）の拡大図である。
【図２】図２は、太陽光パネル（Ｃ）に設置された光センサー（Ａ）と左右の固定式ワイパー（Ａ）である。光センサーが光を感知して、太陽光パネル（Ｃ）は回転を始める。この場合、左右の固定式ワイパー（Ａ）は、各々の方向に回転した際、光センサーカバー（Ｂ）の表面の汚れを除去する。
【符号の説明】Ａは、左右の固定式ワイパーである。Ｂは、光センサーカバーである。Ｃは、太陽光パネルである。
【図１】
2013179240.tif 000003
【図２】
2013179240.tif 000004
(57)【要約】【課題】軸受の組立てを顧客や消費者に体験してもらうことで、軸受の機構や動きをより理解できる軸受組立体験キットを提供することを目的とする。【解決手段】軸受組立体験キットは、プレート１と、転動体保持具４と、プレート１と転動体保持具４を収納する収納箱８から構成され、プレート１は、平板状のプレート本体２と、前記プレート本体２の中心部に設けられた三日月形状の三日月形状部３から構成されおり、軸受を組立てる際に、軸受の内輪を外輪内に偏心させて配置した時にできる空間の形状に隙間をもって一致する。また、三日月形状部３は、前記空間内に転動体を入れた時に、軌道溝の中心と転動体の中心とが一致するような高さとなっている。これにより、転動体を軌道輪に対して、スムーズに係合配置させることができる。【選択図】図１
2013155821.tif 000002
【特許請求の範囲】
【請求項１】
三日月形状部を有するプレートと、軸受の転動体を保持する転動体保持具と、前記プレートと前記転動体保持具とを収納する収納箱から成ることを特徴とする軸受組立体験キット。
【発明の詳細な説明】
【技術分野】
【０００１】
本発明は、軸受の組立てを体験できるキットに関する。
【背景技術】
【０００２】
近年、軸受のような中間財を製造する企業でも、コーポレートブランドの重要性が高まっている。
自動車や家電製品のような一般の消費者を対象とする製品を製造する企業は、コーポレートブランドが広く認知されているが、中間財である軸受のような汎用の工業製品は、種々の装置の中で使用されていることが多く、関係者以外の人間が目にする機会は少ない為、一般には認知されておらず、それを製造する企業のコーポレートブランドの認知も低い。
【０００３】
そのコーポレートブランドを高める方法の一つに、その企業のノベルティーグッズを配布することが挙げられる。
そのようなノベルティーグッズの一つとして、特許文献１には、配布等される軸受を備えた携帯品用のストラップが開示されている。このストラップは、ストラップ本体と、軸受をストラップ本体に取り付ける取付具と、軸受を備える。
【先行技術文献】
【特許文献】
【０００４】
【特許文献１】特開２００８−１６１４８３号公報
【発明の概要】
【発明が解決しようとする課題】
【０００５】
本発明者は、このような工業製品の一つである軸受を配布するだけでなく、実際にその組立てを顧客や消費者に体験してもらうことで、自社製品をさらにアピールでき、その製品の機構や動きをこれまで以上に深く理解してもらえると考えている。
【０００６】
本発明は、上記事情に鑑みて成されたものであり、軸受の機構や動きをより理解できる軸受組立体験キットを提供することを目的とする。
【課題を解決するための手段】
【０００７】
前記目的を達成する為に、請求項１に記載の軸受組立体験キットは、三日月形状部を有するプレートと、軸受の転動体を保持する転動体保持具と、前記プレートと前記転動体保持具とを収納する収納箱から成ることを特徴とする。
【発明の効果】
【０００８】
本発明の軸受組立体験キットによれば、実際に軸受の組立てを顧客や消費者に体験してもらうことで、軸受の機構や動きをより理解でき、軸受に対しての認知度が向上し、さらには、軸受を製造する企業も認知されることになり、コーポレートブランドの認知の向上を図ることができる。
【図面の簡単な説明】
【０００９】
【図１】本発明の実施の形態の構成部材の１つを説明する図。
【図２】図１のＡ−Ａ線に沿う断面図。
【図３】本発明の実施の形態の構成部材の１つを説明する図。
【図４】図３のＢ−Ｂ線に沿う断面図。
【図５】本発明の実施の形態の構成部材の１つを説明する図。
【図６】図５のＣ−Ｃ線に沿う断面図。
【図７】図５を正面から見た図。
【図８】図５のＤ−Ｄ線に沿う断面図。
【図９】図を右側面から見た図。
【発明を実施するための形態】
【００１０】
図１〜９は、本発明の実施の形態の１例を示している。本発明の実施の形態である軸受組立体験キットは、プレート１と、転動体保持具４と、プレート１と転動体保持具４を収納する収納箱８から構成されている。
【００１１】
図１に示すプレート１は、平板状のプレート本体２と、前記プレート本体２の中心部に設けられた三日月形状の三日月形状部３から構成されている。前記三日月形状部３は、軸受を組立てる際に、軸受の内輪を外輪内に偏心させて配置した時にできる空間の形状に隙間をもって一致する。また、三日月形状部３は、前記空間内に転動体を入れた時に、軌道溝の中心と転動体の中心とが一致するような高さとなっている。これにより、転動体を軌道輪に対して、スムーズに係合配置させることができる。
【００１２】
図３に示す転動体保持具４は、転動体を保持する保持孔５を有する転動体保持部６と、転動体保持部６を持ち運べるように柄７とから構成されている。本実施の形態では、保持孔５は１０個設けられており、その形状はテーパ形状となっている。テーパ形状とすることで、転動体は、その自重により保持孔５に嵌まるようになっている。
【００１３】
図５に示す収納箱８は、箱本体９と、底板１０から構成されている。収納箱８は、上記プレート１や転動体保持具４を収納するだけでなく、収納箱８内で組立作業できるようになっており、収納箱８内には、弾性体のシート１１が敷いてある。弾性体のシート１１はゴムや樹脂等からなり、このシート１１により転動体が弾むのを防止する。また、作業者側の壁１２が低くなっている。また、底板１０は箱本体９より大きくなっており、収納箱８が引っくり返るのを防止する。
【００１４】
また、組立て時に、転動体を均等に配置する為の棒や、転動体が転動体保持具から転がり出た場合に集める為の磁石付きの棒があると好ましい。
【符号の説明】
【００１５】
１      プレート
２      プレート本体
３      三日月形状部
４      転動体保持具
５      保持孔
６      転動体保持部
７      柄
８      収納箱
９      箱本体
１０      底板
１１      シート
１２      壁
【図１】
2013155821.tif 000003
【図２】
2013155821.tif 000004
【図３】
2013155821.tif 000005
【図４】
2013155821.tif 000006
【図５】
2013155821.tif 000007
【図６】
2013155821.tif 000008
【図７】
2013155821.tif 000009
【図８】
2013155821.tif 000010
【図９】
2013155821.tif 000011
(57)【要約】      （修正有）【課題】変形がなく、型枠板への食い込みもなく、転用効率が向上し、精度が確保でき、穴埋め作業をなくし工期短と工費削減の効果があり、コンクリートの強度も増す金属製コーンを提供する。【解決手段】コンクリート型枠の壁、柱、梁等の組み立て、支保に用いるセパレーターの付属部品のプラスチックコーンを全て金属製にして、セパレーター１への取り付け軸２の外側にねじ切りを施し、金属製コーン３、さらに軸セパレーター４を軸２に取り付けて１セットの金属製コーンを構成する、軸２はコンクリート打込み、コーン３と軸セパレーター４は取り外し転用する。コーン３は三日月型球面とし取り外しのための回転用の孔二つを施す。【選択図】図４
2013155591.tif 000002
【特許請求の範囲】
【請求項１】
コンクリート型枠の壁、柱、梁等の組み立て、支保に用いるセパレーターの付属部品のプラスチックコーンを全て金属製にして、セパレーター（１）、への取り付け軸（２）の外側にねじ切りを施し、（２）への取り付け金属製コーン（３）、さらに軸セパレーター（４）を軸（２）に取り付けて１セットの金属製コーンを構成する、軸（２）はコンクリート打込みにしコーン（３）と軸セパレーター（４）は取り外し転用する、コーン（３）は三日月型球面とし取り外しのための回転用の孔二つを施す。
【発明の詳細な説明】
【技術分野】
【０００１】この発明は建設業のコンクリート型枠工事に関する。
【背景技術】
【０００２】従来、プラスチックと金属で出来たプラスチックコーン（以下Ｐコンと云う）等がある。
【先行技術文献】
【特許文献】
【０００３】無し
【非特許文献】
【０００４】コンドーテック総合カタログＮｏ．２５−１Ｐ３５８からＰ３６０
【発明の概要】
【発明が解決しようとする課題】
【０００５】従来のＰコーンは変形しやすく型枠板にくぼみが出来、転用、精度、左官の穴埋め作業が必要等の課題がある。
【課題を解決するための手段】
【０００６】課題を解決するために、従来のＰコンを金属製コーン（以下Ｓコンと云う）にし、Ｓコンを薄型球面にする。
【発明の効果】
【０００７】本発明は、変形、型枠板への食い込みがなく、転用効率の向上、精度が確保出来、穴埋め作業をなくし工期短縮、工費削減の効果があり、コンクリートの強度も増す。
【図面の簡単な説明】
【０００８】
【図１】従来のＰコンの斜視図である。
【図２】本発明、軸（２）の斜視図である。
【図３】本発明、Ｓコンの斜視図である。
【図４】本発明，Ｓコンセットの側面図である。
【発明を実施するための形態】
【０００９】以下、本発明の実施の形態を図２〜図４に基ずいて説明する、
【００１０】セパレーター（１）に図２のコンクリート打込み軸（２）を取り付け軸（２）の外側ねじ部に図３のＳコン（３）を取り付け、さらに軸セパレーター（４）を軸（２）に取り付けて１セットのＳコンを構成する。
【符号の説明】
【００１１】１  セパレーター
２  コンクリート打ち込み軸
３  Ｓコン
４  軸セパレーター
【図１】
2013155591.tif 000003
【図２】
2013155591.tif 000004
【図３】
2013155591.tif 000005
【図４】
2013155591.tif 000006
(57)【要約】      （修正有）【課題】従来の薄鉄板製のジョイント金具を用いて型枠を組み立てた時に、コンクリート打設表面にジョイント金具の跡が残るような不具合を解消する、組み立て精度に優れ、金具の跡も小さいジョイント金具を提供する。【解決手段】下部挟み部２、乗せ掛け部３、上部挟み部４からなる針金製のジョイント金具１を用いることで型枠全体の精度を保持できる、又、コンクリート打設表面に出るのは針金の跡で化粧打放しコンクリートでも気にならない。【選択図】図２
2013155590.tif 000002
【特許請求の範囲】
【請求項１】
コンクリート型枠用の板と板のジョイント金具を鋼鉄針金を折り曲げて製作する。
【発明の詳細な説明】
【技術分野】
【０００１】この発明は建設業のコンクリート型枠工事に関する。
【背景技術】
【０００２】従来、薄鉄板で出来たＨ型の型枠板組み立て用のＨジョイント金具がある。
【先行技術文献】
【特許文献】
【０００３】無し
【非特許文献】
【０００４】無し
【発明の概要】
【発明が解決しようとする課題】
【０００５】従来の薄鉄板で出来たＨジョイントで型枠板を組み立てると鉄板の厚さの隙間が出来、その分、型枠全体の寸法に誤差が出る。
【課題を解決するための手段】
【０００６】課題を解決するために、下挟部、乗掛部、上挟部からなる針金製ジョイント金具にする。
【発明の効果】
【０００７】本発明は、コンクリート型枠の組み立て作業を安全に、正確に、迅速に施工するのに効果的ジョイント金具である。
【図面の簡単な説明】
【０００８】
【図１】従来の薄鉄板製のＨジョイント金具の斜視図である。
【図２】本発明、鋼鉄針金製Ｈジョイント金具の斜視図である。
【図３】型枠板に本発明ジョイント金具を取り付けた図である。
【図４】ジョイント金具をハンマーで打ち込んで平滑にした図である。
【発明を実施するための形態】
【０００９】以下、本発明の実施の形態を図２〜図４に基ずいて説明する、
【００１０】型枠組み始めの型枠板上部に両端部と中央部に図２を取り付け、図２の乗掛部をハンマーで打ち込み図４のように型枠板天端と平滑にしてから上の型枠板を逐次組み立てる。
【符号の説明】
【００１１】１      鋼鉄針金製ジョイント金具
２      下部挟み部
３      乗せ掛け部
４      上部挟み部
５      下部型枠板
６      上部型枠板
【図１】
2013155590.tif 000003
【図２】
2013155590.tif 000004
2013155590.tif 000005
【手続補正書】
【提出日】平成24年4月25日(2012.4.25)
【手続補正１】
【補正対象書類名】図面
【補正対象項目名】全図
【補正方法】変更
【補正の内容】
【図１】
2013155590.tif 000006
【図２】
2013155590.tif 000007
【図３】
2013155590.tif 000008
【図４】
2013155590.tif 000009
【手続補正２】
【補正対象書類名】明細書
【補正対象項目名】０００８
【補正方法】変更
【補正の内容】
【０００８】
【図１】従来の薄鉄板製のＨジョイント金具の斜視図である。
【図２】本発明２コンクリート打ち込み軸の斜視図である
【図３】本発明３Ｓコンの斜視図である
【図４】本発明２コンクリート打ち込み軸３Ｓコンのセット側面図である
(57)【要約】      （修正有）【課題】太陽光や熱線を適度に遮蔽し、同時に突風などの風圧を木の葉のように受け流して破損から守り、遠くから建物を見たときに自然の葉が建物に絡んだように見える日除けを提供する。【解決手段】強い日差しの為建物や室内の温度が異常に上昇するのを防ぐため、日が当たる窓にナイロン製などのロープに、合成繊維などで作った木の葉等を模った木の葉状の短冊をロープに多数取り付け、窓辺や屋根からひさし状に垂らすか巻き付けるかなどして適度な日陰を作り、建物や室内が異常に温められるのを防ぐ。【選択図】図１
2013155486.tif 000002
【特許請求の範囲】
【請求項１】
強い日差しの為建物や室内の温度が異常に上昇するのを防ぐため、木の葉を模った合成繊
維などで作った短冊を多数ロープに取り付け、建物や陽が当たる窓辺等に該ロープを垂ら
したり、木の葉の短冊が重なるように巻きつけたりして日陰が出来るようにした木の葉ロ
ープを提供する。
【発明の詳細な説明】
【技術分野】
【０００１】
本発明は、強すぎる日光をある程度遮断し木漏れ日のような日陰を作る物に関する。
ナイロンロープなどに合成繊維等で出来た木の葉等を模り木の葉の短冊状の物をロー
プに多数取り付けた物を、窓辺や屋根からひさし状に垂らすか巻き付けるなどして適
度な日陰を作り、建物や室内が異常に温められるのを防ぐ。
本発明は、これを解決する手段に関するものである。
【背景技術】
【０００２】
従来、陽が当たる場所で日光や熱線を遮ろうと様々なテントや葦簾、各種のオーニン
グ材が考案され、或いは取り付ける方法などが考えられてきた。
【０００３】
既存の方法では、予期せぬ突風が吹いて窓などに取り付けたテントやひさしが破損す
るなどの問題があった。
【発明の開示】
【発明が解決しようとする課題】
【０００４】
本発明が解決しようとする課題は、従来のこれらの問題点を解消し太陽光や熱線を適
度に遮蔽し同時に突風などの風圧を木の葉のように受け流して破損から守り、遠くから
建物等を見た時自然の木の葉が建物に絡んだように見え、建物や室内が異常に暖めら
れるのを防ぐことである。
【０００５】
併せて、室内から窓の外を見た時、テントやオ―ニング材等では視界が遮断されて
空の青さや雲などの自然の風景が見えなくなるという問題があった。
【課題を解決するための手段】
【０００６】
従来のひさしやテントなどの窓を覆うオーニング全体について云える事ですが、強い
日差しを遮断しつつ突風などの風圧にどう対処するか数々の考案がなされてきたが、日
差しを適度に遮蔽するように改めたことで遮蔽面全体をオーニング材で覆うのではな
くロープに取り付けた木の葉が動いて風の風圧を逃がし、大きな木の下にいて木漏れ日
が射す状態を創出する。
【０００７】
本発明では、木の葉を模った合成繊維等の木の葉状短冊の枚数の多少や、窓や建物を
縦横に往復してロープがかけられ部分的に木の葉が重なり、木漏れ日の状態を各人の好
みで調整でき適度な光線の遮蔽が可能である。
【０００８】
これまでは建物の窓などに取り付けられているひさしやテントなど、太陽の強い日射
しから建物や室内が異常に暖められるのを防ぐ為の各種のオーニング材や取り付け方法
が考えられてきたが、突風などの風圧を受け裂けたり取付金具が壊れたりするのが問題
であった。
本発明では、ナイロン等で出来たロープ材に合成繊維等で作った木の葉状の短冊を多
数取り付けたものを、陽が当たる窓の周辺に上から垂らすように取り付けたり、上下に
往復して巻きつけることによって、太陽の光りや熱線を遮断するのではなく適度に遮蔽
する事になり、大木の木陰にいるような木漏れ日の状態を創出する事が出来る。
その為、日陰のない広場や運動場、散歩道や建物全体などにもそのまま応用できる。
【発明の効果】
【０００９】
本発明では、ナイロン等のロープに合成繊維等で出来た木の葉状の短冊が多数取り付
けられたものであり、ローラーに巻きつけて持ち運びが出来、取り付ける場所もその時
間に日陰が欲しい所など適当な取り付け位置に変更でき、これまで日陰のなかった運動
場などの広場に安価で安全に且つ簡単に木陰を創出でき、建物や室内なら温度が異常に
暖められるのを防ぎ冷房効率を高めることができる。
【発明を実施するための最良の形態】
【００１０】
本発明は、何処にでも木陰を創出することができるのが特徴ではあるが、建物の窓際
に設置するものとしては木の葉の形をブドウの葉やアサガオの葉などを模して作った方
が良く、運動会のテントを日陰にする場合などは楠の木の葉やブナの葉の形などを模し
た物が実際に使った時、自然の木漏れ日状態に出来るので快適であろうと思われる。
【実施例】
【００１１】
以下、本発明の実施例を図面に基づいて説明する。図１は建物の窓際に木の葉ロープ
が設置されている例である。（この例の図では煩雑になるのを避ける為、木の葉は割愛）
【００１２】
図１は実施例の斜視図である。
【００１３】
図中１は基本ロープ、２は木の葉状短冊、３は取り付け用フック、４は巻き取り用
ローラー、５は固定具である。
【００１４】
この実施例では、右上からの太陽光線が建物の窓に射すのを適度に遮蔽している例で
ある。
【産業上の利用可能性】
【００１５】
以上の様に本発明によれば、何処にでも木陰を作る事ができ建物等においては冷房効
率を上げることが出来る。
また、西日等が当たる工場等では、簡単に西日をある程度遮蔽することが出来冷房など
の効率が上がり、電力の削減に寄与することが出来る。
【００１６】
また、適度に風圧を逃がし受け流す構造である為、適度の強度を持った支柱があれば
広場や運動場などは勿論日陰のない散歩道に木陰を作り、又海岸線や大きな河川敷等で
の魚釣りやキャンプ等にも木陰を作る事が出来、アウトドアライフを楽しくする事が期
待される。
【図面の簡単な説明】
【００１７】
【図１】実施例の斜視図である。
【符号の説明】
【００１８】
１   基本ロープ
２   木の葉状短冊
３   取付け用フック
４   巻き取り用ローラー
５  固定具    
【図１】
2013155486.tif 000003
(57)【要約】【課題】従来の洗浄用具は手で持つ事で作業を進めるもので、その洗浄用具の大きさは限られたものになり、手を一回動かす事で得られる洗浄範囲も狭くなる。本発明は宴会などに使う食器や銀器の洗浄用手袋を提供する。【解決手段】  親指と他の指の離れた手袋で、手のひら側に、マイクロファイバー、その内側に保水性のある、薄いスポンジ、さらにその内側に木綿の布を用いる。使用する時に安定させる為に、手の甲側に、ゴムの入った収縮性のある布を使用し、手首部分の手の平側から帯状の布を伸ばし、マジックテープで止めることで、さらに安定させることを特徴とする洗浄用手袋。【選択図】図１
2013155471.tif 000002
【特許請求の範囲】
【請求項１】
親指と他の指を別々に挿入する手袋において、内側面に木綿布を介して薄いスポンジを設け、その内側面に木綿布を介してマイクロファイバーを設け、手袋の甲側にゴムの入った伸縮する布を設け、手首の部分にマジックテープを設けたことを特徴とする掃除用手袋。
【発明の詳細な説明】
【技術分野】
【０００１】  本発明は、レストランや食堂の様に、多くの食器や宴会などに使う銀器などを洗う時に使う洗浄用の手袋である。この洗浄用手袋は、食器洗浄の作業の時に、食器などをつかむ事が出来るので、スポンジなどの掃除用具などを手に持たないで、手に固定した状態で作業が出来る、掃除用手袋に関するものである。
【背景技術】
【０００２】  従来、食器や銀器などの洗浄には、スポンジなどの掃除用具を手で持って、洗浄するものである。
【発明の概要】
【発明が解決しようとする課題】
【０００３】  従来の洗浄用具は手で持つ事で作業を進めるもので、その洗浄用具の大きさは限られたものになり，一回手を動かす作業で得る洗浄範囲は狭くなり、時間もかかり作業の効率が悪くなる。
本発明は、以上の問題点を解決するためになされたものである。
【課題を解決するための手段】
【０００４】    上記の問題点を解決するために、本発明は親指と他の指を別々に挿入する掃除用手袋で、この掃除用手袋において、手袋の内側面に木綿布を介して薄いスポンジを設け、その内側面に、木綿布を介してマイクロファイバーを設け、手袋の甲側にゴムの入った伸縮する布を設け手首の部分にマジックテープを設け手の平に固定し安定を図るようにしたものである。
【発明の効果】
【０００５】  手を広げた状態で洗浄作業が出来るので，一回手を動かす作業で、得る洗浄範囲が広くなる。又  手袋状であるから、物をつかむ事が出来るので外す事無く、作業を続けることが出来、物をつかんで洗っていない為、疲れも緩和されるのである。
【図面の簡単な説明】
【０００６】
【図１】本発明の斜面図
【図２】本発明の断面図
【発明を実地するための形態】
【０００７】以下、本発明の形態を説明する。
（イ）本発明は親指（２）と他の指（３）を別々に離して挿入する掃除用手袋（１）で、この掃除用手袋（１）において、掃除用手袋（１）の手の平側（４）の内側面に木綿布（５）を介して薄いスポンジ（６）を設けその内側面に木綿布（５）を介してマイクロファイバー（７）を設け手首部分（８）より帯状に設けた布（９）にマジックテープ（１０）を設ける。手袋の手の甲側（１１）にはゴムの入った伸縮性のある布（１２）を設け、このゴムの入った伸縮性のある布（１２）の手首部分（８）にマジックテープ（１０）を設ける。
本発明を使用するときは、手の挿入口（１３）より手を挿入して、手首部分（８）にあるマジックテープ（１０）に帯状に設けた布（９）にあるマジックテープ（１０）で止めて固定する。
【符号の説明】
【０００８】１掃除用手袋  ２親指  ３他の指  ４手の平側  ５木綿布  ６薄いスポンジ  ７マイクロファイバー  ８手首部分  ９帯状に設けた布  １０マジックテープ  １１手袋の手の甲側  １２ゴムの入った伸縮性のある布  １３手の挿入口
【図１】
2013155471.tif 000003
【図２】
2013155471.tif 000004
(57)【要約】      （修正有）【課題】従来はアイプチをしてから、つけまつげを取りつけていた。そのため、アイプチをしてから装着することに手数がかかったり、いったんアイプチをしてしまうと、つけまつげの取り付けが困難で、きれいに装着できない欠点があった。【解決手段】二重になるつけまつげを得るため、つけまつげの装着部に、色替えできる幅のあるアイプチ１を一体で設ける。【選択図】図１
2013155472.tif 000002
【特許請求の範囲】
【請求項１】
つけまつげの装着部に、色替えできる幅のあるアイプチを設けたことを特徴とする二重になるつけまつげ。
【発明の詳細な説明】
【技術分野】
【０００１】  本発明は、つけまつげに色替えできる幅のあるアイプチをつけた二重になるつけまつげに関するものである。
【背景技術】
【０００２】  従来、アイプチをしてから、別でつけまつげを取りつけていた。
【発明の開示】
【発明が解決しようとする課題】
【０００３】  そのために、次のような問題点があった。  （イ）アイプチをしてから、装着することに手数がかかった。  （ロ）いったんアイプチをしてしまうと、取り付けが困難で、きれいに装着できない欠点があった。  本発明は、これらの問題点を解決するためになされたものである。
【課題を解決するための手段】
【０００４】  つけまつげの装着部に、色替えできる幅のあるアイプチを設ける。以上を特徴とする二重になるつけまつげである。
【発明の効果】
【０００５】  つけまつげで二重に簡単になり、取り付けたり、取り外したりできて、また自然な二重になることができるのである。
【発明を実施するための最良の形態】
【０００６】  以下、本発明の実施の形態について説明する。  （イ）つけまつげ（１）にアイプチ（２）を設ける。  本発明は以上のような構成で、これを使用するときは、つけまつげ（１）をつまんで持つ。アイプチ（２）装着部をまぶたに取り付ける。
【図面の簡単な説明】
【０００７】【図１】本発明の斜視図
【符号の説明】
【０００８】  １  つけまつげ  ２  アイプチ
【図１】
2013155472.tif 000003
(57)【要約】【課題】コピー防止用紙に作成されなかった書類をコピー防止書類にするスタンプ。【解決手段】コピーをされては困る書類をコピー防止用紙でない用紙に作成した書類をコピー防止書類にする事のできるスタンプとスタンプ台。【選択図】図１
2013071449.tif 000002
【特許請求の範囲】
【請求項１】
印面がコピーした書類である事を示した文字や絵でできたスタンプ。
【請求項２】
請求項１のスタンプ用スタンプ台でインク色は書類文字や絵を邪魔しなくコピーするとコピーした書類上に現れ原稿文字を見えなくする色。
【請求項３】
請求項１のスタンプで印面に請求項２のインクを浸透させたスタンプ。
【請求項４】
請求項１のスタンプと請求項２のスタンプ台を一体型にしたスタンプ。
【発明の詳細な説明】
【技術分野】
【０００１】本発明は、主として印刷された用紙や白紙用紙に書類を作成したとき、この書類を不正コピー防止書類にする為に作成された書類の上からスタンプする事で、コピー時にコピーした書類上にコピーしたことを示す文字が浮き上がりなお原本書類の文字も読めなくなりこの書類が原本でない事を示すことで原本書類を保護する事に関する。
【背景技術】
【０００２】不正コピーを防止する手段は複数ある。主たる方法は書類作成用紙に書類作成前に印刷で書類作成用紙にコピー防止手段を設ける方法がある。書類作成時に書類の邪魔にならない印刷を施しコピー時にコピー防止文字が現れて書類を保護する方法がある。書類に保護シールを貼り付ける方法がある。コピー防止手段を施してない用紙に作成された書類をコピー防止書類にする手段に関するシステムに関する。
【発明の概要】
【発明が解決しようとする課題】
【０００３】種類を作成する用紙としは、市販の白紙が広く使われる。白紙に作成された書類をコピー防止書類にするには、書類作成後にコピー防止シールを貼り付けるの一般的な方法である。【０００４】コピー防止シールはサイズが限定されていて、全てのサイズの書類をカバーするのには使いにくく、コピー防止書類を作成する毎に用紙を選択して使用するのも非実用的であり、用紙の種類も多くなる。【０００５】書類作成用紙のサイズや印刷済み用紙に作成した書類もコピー防止書類にする事のできるシステムに関する。
【課題を解決するための手段】
【０００６】かかる課題を解決すべく、本発明では、書類作成後に必要により書類をコピー防止書類にする為のスタンプを発明した。【０００７】本スタンプの印面には、利用者が必要とするコピー防止文字を作成する事ができる。【０００８】スタンプはサイズを自由に作成する事ができるので用紙サイズに合わせ作成するか、必要に合わせ複数回スタンプする事もできる。【０００９】スタンプに使用するインクは書類上の文字や絵等を邪魔する事がなくコピー時にコピーされた書類上に鮮やかに現れ書類上の文字や絵を隠す事のできるインクを使用する。
【発明の効果】
【００１０】スタンプにする事で用紙サイズに限定されず作成完了した書類をもコピー防止書類にする事ができる。【００１１】コピー防止シールでは書類用紙サイズにより使用さるシールが決められるか複数枚使用する必要があるがスタンプならサイズの問題はない。
【図面の簡単な説明】
【００１２】
【図１】コピー防止スタンプの例を示す斜視図である。
【産業上の利用可能性】
【００１３】書類作成がパソコンとプリンターで行われる事の多い事業所ではプリンターにコピー防止用紙がセットされているケースが少ない。【００１４】通常用紙で作成した書類をコピー防止書類にする時、手軽に確実にできる。
【符号の説明】
【００１５】１００  スタンプ
１０１  印面
１０２  スタンプ台
１０３  インク面
【図１】
2013071449.tif 000003
(57)【要約】      （修正有）【課題】材料の種類ごとに異なる在庫量に合わせて容易に整理できる材料ラック。【解決手段】ローラー１上部の材料置き用スペースは仕切り板２によって種類別に分けられる。仕切り板２はレールに沿って可動する。ある種類の材料の在庫量が増えた場合、仕切り板２を動かし、その材料を保管するスペースを広げたい。そのためには容量に余裕のある別の種類の材料を保管するスペースを小さくし、また、そこに保管されている材料を移動する必要があるが、材料はローラー１に乗っているので容易にその材料を移動させ、仕切り板２を動かすことができる。【選択図】図１
2013071844.tif 000002
【特許請求の範囲】
【請求項１】
可動式の仕切り板を設けたことを特徴とする分別材料ラック。
【請求項２】
材料を容易に移動できるようにローラーを設けた事を特徴とする分別材料ラック。
【発明の詳細な説明】
【技術分野】
【０００１】この発明は、樹脂材料等を保管するラックの機能に関する。
【背景技術】
【０００２】従来の単なる棚に積み重ねて置く材料保管では、種類ごとに置き場所を固定する場合、変動する材料の量に容易に対応できなかった。
【発明の概要】
【発明が解決しようとする課題】
【０００３】そこで、この発明は材料の種類ごとに異なる在庫量に合わせて容易に整理できる材料ラックを提供することを課題とする。
【課題を解決するための手段】
【０００４】以上の課題を解決するために、第一発明は可動式の仕切り板を設けたことを特徴とする分別材料ラックである。
また、第二発明は、仕切り板を動かした場合に材料を容易に移動できるようにローラーを設けたことを特徴とする分別材料ラックである。
【発明の効果】
【０００５】第一発明、または第二発明によれば、日々、種類ごとに変動する材料の保管量に対応して各保管スペースを配分できるようになり、限られたスペースを有効活用できるようになる。
【図面の簡単な説明】
【図１】この発明の実施形態を示す斜視図である。
【発明を実施するための形態】
【０００６】この発明の実施形態を、図１に示す。
ローラー１上部の材料置き用スペースは仕切り板２によって種類別に分けられる。
仕切り板２はレール４に沿って可動する。
ある種類の材料の在庫量が増えた場合、仕切り板２を動かし、その材料を保管するスペースを広げたい。そのためには容量に余裕のある別の種類の材料を保管するスペースを小さくし、また、そこに保管されている材料を移動する必要があるが、材料はローラー１に乗っているので容易にその材料を移動させ、仕切り板２を動かすことができる。
この結果、限られたスペースにおいて、量の多い種類の材料には大きいスペースを、また、少ない量の種類の材料には小さいスペースを割り当てることができる。
【産業上の利用可能性】
【００００７】特に中小企業のように工場スペースが限られる場合に材料保管スペースを種類別に柔軟に変更でき、少ないスペースを最大限活用できる。
【符号の説明】
【００００８】１  ローラー
２  仕切り板
３  レール
【図１】
2013071844.tif 000003
(57)【要約】【課題】丸筒に巻かれているストレッチフィルムが、机などの平面に置くと転がる不都合を解決すること。さらにフィルムを筒状に巻くため、物流上に無駄な空間が生じる不都合を解決すること。【解決手段】フィルムを巻き取る芯材を平らな板や厚みが薄い立方体にすることにより、課題を解決する。【選択図】図２
2013071845.tif 000002
【特許請求の範囲】
【請求項１】
フィルムを巻き取る芯材を、平らな板状にすることを特徴とするストレッチフィルム。
【発明の詳細な説明】
【技術分野】
【０００１】本発明は、ストレッチフィルムに関するものであり、ストレッチフィルムの巻き取り芯材の形状に工夫を加えることによって、ストレッチフィルムが転がらないようにするとともに、製品の容積も大幅に縮減するようにしたものである。
【背景技術】
【０００２】従来から、ストレッチフィルムは、梱包用の結束用フィルムとして用いられている。
フィルムは筒状に巻かれており、フィルムを引き伸ばしながら、結束の対象物をテーピングやラッピングして、フィルム同士を圧着すれば、糊なしで接着できる。
【発明の開示】
【発明が解決しようとする課題】
【０００３】ストレッチフィルム製品は、１５０から３００メートルという長さで、筒状（紙管が用いられている）に巻かれている。このように製品の形状が円筒形であるため、第一に机などの平面に置いた場合、転がりやすく不便である（図３）。第二に製品が筒状で、筒の中空部分の容積が大きく、物流経費の無駄が大きい。これらの不都合を解決することが課題である。
【課題を解決するための手段】
【０００４】この課題を解決するための発明は、フィルムを巻きとる芯材を、平らな板状の芯材にすることを特徴とするストレッチフィルムである。芯材は、硬質の紙やプラスチック等の素材を用いることができる。この場合、フィルムが伸縮性が強いため、フィルムの収縮力に耐える強度を具えなければならない。【０００５】本発明に用いる、板状のフィルム巻取りの芯材は、必ずしも一枚の板状のものに限定する必要はなく、厚みが薄い立方体であってもよい。
【発明の効果】
【０００６】本発明により、ストレッチフィルム製品を、机等の平面においても転がる不都合がない。【０００７】本発明によれば、従来の紙管巻きの、筒中の中空部分が無くなる。従って、製品包装の容積は削減できることになり、物流コストが大幅に節約できる。
【発明を実施するための最良の状態】
【０００８】図１はストレッチフィルム製品の外観斜視図である。巻き取る芯材は、丸筒の紙管である。
【０００９】図２は、フィルム巻取りの芯材を、板状の方形にしたことを特徴とするストレッチフィルム製品の断面図である。フィルムの巻取りが方形となるため、製品の転がりがなくなり、置き方を気にしなくてもよくなった。
【産業上の利用可能性】
【００１０】本発明に係るストレッチフィルムは、工業的に量産することが可能であるため、産業上の利用の可能性を有する。
【図面の簡単な説明】
【００１１】
【図１】ストレッチフィルムの紙筒巻き製品の斜視図である。
【図２】フィルムの巻き芯を平らな板状にして、フィルムを巻いた製品の断面図である。
【図３】従来の丸筒状の芯に巻いたストレッチフィルム製品の断面図である。
【符号の説明】
【００１２】１  フィルム
２  丸筒状の巻き芯
３  板状の巻き芯
４  板などの平面
【図１】
2013071845.tif 000003
【図２】
2013071845.tif 000004
【図３】
2013071845.tif 000005
(57)【要約】【課題】  下向装着の清浄器を既存の清浄器レンチを使用して取外す場合に、弛め方向に清浄器が回動して機関側清浄器取付部と清浄器の間に間隙ができると、機関内部の廃油が流出して清浄器と清浄器レンチの外周を流下し、その下側に居る作業者の手や衣服を汚損し、また廃油が高温の場合は火傷の危険性もある。【解決手段】  既存の、清浄器レンチの取付・取外しが可能な回動連結手段を内側に設けた廃油受け容器の下側中央に、既存の回動工具に係合する角型の突出または角穴を設けた突出形状の回動受動部を付設する。【選択図】図１
2013071241.tif 000002
【特許請求の範囲】
【請求項１】
公知技術であるカップ状の廃油受け容器の内側にキャップ型の清浄器レンチの取付・取外しが可能な回動連結手段を設けた手廻しオイルフイルターレンチにおいて、該廃油受け容器の下側中央に、角型の突出部または角穴を設けた突出部による既存回動工具の回動受動部を付設した下向潤滑油清浄器用工具。
【請求項２】
廃油受け容器の内側に、清浄器の多角形部に係合するよう上部内面を多角形に型整した筒体を一体に付設した、請求項１記載の下向潤滑油清浄器用工具。
【請求項３】
既存回動工具の回動受動部を、廃油受け容器の下側と延長軸部を介して距離をもつ位置に付設した、請求項１及び請求項２記載の下向潤滑油清浄器用工具。
【発明の詳細な説明】
【技術分野】
【０００１】  本発明は、自動車用内燃機関の潤滑油清浄装置で多用されている取替え使い捨て方式の清浄器で、機関に下向に装着されるものの取外し・取付に使用する工具に関するものである。
【背景技術】
【０００２】  従来より使用されている工具として、清浄器頭部の多角形部に係合するよう内面を多角形に型整したキャップ型で、外側中心部にソケットレンチハンドルなどの工具が係合して回動するための角型の穴または突出形状の回動受動部を設けた清浄器レンチがある。【０００３】  前記清浄器レンチを包含し、清浄器取外し作業時に該部より流出する廃油を受け入れるカップ状の廃油受け容器で、その内側中央に清浄器レンチ外側の回動受動部に係合する回動連結手段を設け、更に該廃油受け容器を手廻しするための握り棒を外側中央に付設したオイルフイルター交換用工具がある。
【先行技術文献】
【特許文献】
【０００４】
【特許文献１】  特開２０１０−１９２０６号  公報
【発明の概要】
【発明が解決しようとする課題】
【０００５】  下向装着の清浄器を既存の清浄器レンチを使用して取外す場合に、弛め方向に清浄器が回動して機関側清浄器取付部と清浄器の間に間隙ができると、機関内部の廃油が流出して清浄器と清浄器レンチの外周を流下し、その下側に居る作業者の手や衣服を汚損し、また廃油が高温の場合は火傷の危険性もある。【０００６】  特許文献１の発明は、油洩れがないように取付けて締付けてある清浄器を既存の清浄器レンチなどの工具で弛めて、手で廻し得る様になった後に使用が可能となるもので、清浄器取外しのために二種の工具を使い分けしなければならない。【０００７】  清浄器はそのメネジ部と機関側のオネジ部が螺合して機関に取付けられるが、稀に該オネジまたはメネジ部に疵があり、そのために螺合が固く、清浄器を取外す場合であれば、清浄器レンチで廻しはじめて螺合が外れてしまうまでソケットレンチハンドルなど使用の回動を要し、手廻しができないことがある。
【課題を解決するための手段】
【０００８】  既存の、清浄器レンチの取付・取外しが可能な回動連結手段を内側に設けた廃油受け容器の下側中央に、既存の回動工具に係合する角型の突出または角穴を設けた突出形状の回動受動部を付設する。
尚既存の回動工具とは、ソケットレンチハンドル・ラチェットハンドル・ソケット・エクステンションバーなどの総称とする。【０００９】  廃油受け容器の内側に、上半部を清浄器の多角形部に係合するよう内面を多角形に型整した筒体を固着し、下側には前記構成と同様に回動受動部を付設する。
【発明の効果】
【００１０】  本発明品の使用で、強く締め付けられた清浄器の取付を弛め、そのまま継続して螺合を解き、流出を始めた廃油はそのまま廃油受け容器に受けて、最後に清浄器を取除く作業が単一の工具で可能で、また流出する廃油による衣服や身体の汚損及び高温の廃油による火傷の問題も解消する。
また清浄器の交換で、次の品を取付ける作業にも何ら不都合なく使用できる。
【図面の簡単な説明】
【００１１】
【図１】  請求項１記載の実施形態の断面図
【図２】  請求項１記載の実施形態の底面図
【図３】  請求項２記載の実施形態の断面図
【図４】  請求項２記載の他の実施形態に請求項３記載の実施形態を加えた断面図
【発明を実施するための形態】
【００１２】  以下本発明の実施形態を図１〜図４に基づいて説明する。
【００１３】  図１及び図２において、廃油受け容器（１）の内側中央に既存清浄器レンチの回動受動部に係合する回動連結手段（３）を設け、廃油受け容器（１）の下側中央には既存の回動工具に係合する角型突出形状の回動受動部（２）を設けたものである。
本形態では、多角形部の寸法の異なる複数の清浄器レンチを付け替えて使用することができる。
【００１４】  図３においては、廃油受け容器（１）の内側に、上部を清浄器の多角形部に係合する内面多角形（５）に型整した筒体（４）を付設したもので、多角形の寸法が一種類の清浄器に専用で使用するものであり、また回動受動部（２）は角穴をもつ突出形状とした実施形態である。
流通孔（６）は筒体（４）に設けた孔で、廃油受け容器（１）で受ける廃油の容量が減少しないように、筒体（４）内にも流入させるためのものである。
【００１５】  図４においては、主要な構成は前記同様であるが、製法などによる部分的な変化をもつ実施形態例で、更に車種による作業環境に対応するために、延長軸部（７）により回動受動部（２）の位置を下げたものである。
【符号の説明】
【００１６】１  廃油受け容器
２  回動受動部
３  回動連結手段
４  筒体
５  内面多角形
６  流通孔
７  延長軸部
【図１】
2013071241.tif 000003
【図２】
2013071241.tif 000004
【図３】
2013071241.tif 000005
【図４】
2013071241.tif 000006
(57)【要約】【課題】セキュリティトークンを使用した二要素認証は、認証のたびにセキュリティトークンを用いてワンタイムパスワードを発行する煩雑さがあり、また利用端末の固有識別子を利用した二要素認証は、固有識別子と本人確認の煩雑な登録作業が事前に必要であった。【解決手段】固有識別子を利用した２要素認証で認証に成功した利用端末をワンタイムパスワードセキュリティトークンとして使用することができ、かつワンタイムパスワード２要素認証成功した端末の固有識別子を認証サーバに登録することで、次回からはワンタイムパスワードの発行なしに２要素認証を可能とする。【選択図】図４
2013206452.tif 000002
【特許請求の範囲】
【請求項１】
利用端末のクライアントソフトウェアから特定の認証サーバにアクセスする認証手段において、ワンタイムパスワードを利用した二要素認証システムと、利用端末の固有識別子を認証情報とした二要素認証システムのどちらも使用できる手段を持つことを特徴とする認証システム。
【請求項２】
上記請求項１における認証手段によって認証成功した利用端末が、ワンタイムパスワードを発行するセキュリティトークンとして機能することができる認証システムで。
【請求項３】
上記請求項１および請求項２における認証手段において、ワンタイムパスワードを利用した二要素認証にて、認証に成功した利用端末の固有識別子を、正規端末として利用者が認証システムに登録することができ、次回からはセキュリティトークンによるワンタイムパスワードを入力しなくても、その利用端末から固有識別子を利用した二要素認証として特定サーバにアクセスすることができる認証システム。
【発明の詳細な説明】
【技術分野】
【０００１】  この発明は、複数の端末から特定サーバへの通信を行う認証ソフトウエアプログラムに関する。
【背景技術】
【０００２】  従来の二要素認証システムとは、ユーザーがパソコンや携帯電話から特定のサーバと認証手続きを行う際に、ユーザーが入力するアカウント情報とパスワード情報の他に、セキュリティトークンを使用したワンタイムパスワードか、あるいは使用する利用する端末の固有識別子が事前に認証システムに登録されているかを認証要素としていた。
【先行技術文献】
【特許文献】
【０００３】
【特許文献１】特開２００８−１７６３８３公報
【０００４】
【特許文献２】特開２００８−２３４６０６公報
【発明の概要】
【発明が解決しようとする課題】
【０００５】  しかしセキュリティトークンを使用した二要素認証は、利用する端末を固定する必要がない代わりに、認証のたびにセキュリティトークンを用いてワンタイムパスワードを発行する煩雑さがあった。
また利用端末の固有識別子を利用した二要素認証は、認証時にセキュリティトークンなどの機器が不要である代わりに、利用する端末の固有識別子を正規端末として事前に認証サーバに登録する必要がある。特にこの固有識別子の登録には、利用者の本人確認を同時に行う必要があるため、煩雑な登録作業が事前に必要となり、利用者が自由に利用端末を登録できないという課題があった。
【課題を解決するための手段】
【０００６】  以上の課題を解決するための、第一発明は、利用端末のクライアントソフトウェアから特定の認証サーバにアクセスする認証手段において、ワンタイムパスワードを利用した二要素認証システムと、利用端末の固有識別子を認証情報とした二要素認証システムのどちらも使用できる手段を持つことを特徴とする認証システムである。
第二発明は、上記第一発明における認証手段によって認証成功した利用端末が、ワンタイムパスワードを発行するセキュリティトークンとして機能することができる認証システムである。
第三発明は、上記第一および第二発明における認証手段において、ワンタイムパスワードを利用した二要素認証にて、認証に成功した利用端末の固有識別子を、正規端末として利用者が認証システムに登録することができ、次回からはセキュリティトークンによるワンタイムパスワードを入力しなくても、その利用端末から固有識別子を利用した二要素認証として特定サーバにアクセスすることができる認証システムである。
【発明の効果】
【０００７】  第一〜第三発明によれば、利用者は認証システムに固有識別子が正規端末として登録されている利用端末一台を携帯していれば、その端末をワンタイムパスワードの発行のセキュリティトークンとして、任意の端末から二要素認証として特定サーバへの認証を行うことができる。
また上記手法によって認証が成功した端末の固有識別子を認証システムに登録することにより、次回からワンタイムパスワードの入力を行うことなしに、その利用端末から二要素認証として特定サーバへの認証を行うことができる。
この利用端末の固有識別子の登録手段により、利用者は煩雑な手続きを踏むことなく任意の端末の固有識別子を自由に認証システムに正規端末として登録することができる。
【図面の簡単な説明】
【図１】  この発明の一実施形態を示すアクティビティ図である。
【図２】  この発明の一実施形態を示すアクティビティ図である。
【図３】  この発明の一実施形態を示すアクティビティ図である。
【図４】  この発明の一実施形態を示すアクティビティ図である。
【発明を実施するための形態】
【０００８】  この発明の一実施形態を図１に示す。利用端末からの認証情報に固有識別子が含まれていない場合は、ワンタイムパスワードセキュリティトークンを利用した２要素認証を行う。
【０００９】  この発明の一実施形態を図２に示す。利用端末からの認証情報に固有識別子が含まれている場合は、固有識別子を利用した２要素認証を行う。
【００１０】  この発明の一実施形態を図３に示す。固有識別子を使用して認証に成功した利用端末１をセキュリティトークンとして利用する形態である。利用端末１に表示されたワンタイムパスワードを入力することにより、利用端末２はワンタイムパスワードを利用した２要素認証を行う。
【００１１】  この発明の一実施形態を図４に示す。ワンタイムパスワードを利用して２要素認証に成功した利用端末２は、そのまま利用端末２の固有識別子を認証サーバに登録する形態である。これにより、次回から利用端末２で認証を行うときは、固有識別子の２要素認証を行うため、ワンタイムパスワードの入力が不要となる。
【図１】
2013206452.tif 000003
【図２】
2013206452.tif 000004
【図３】
2013206452.tif 000005
【図４】
2013206452.tif 000006